(57)【要約】【課題】指標部の周りにグラデーションを形成する際に、グラデーション領域が明確に視認されるようにした照明装置を提供する。【解決手段】透過性の基板に設けられた透過性の太目盛指標部７ＡＡ（指標部７）を有する表示板８と、この表示板８を背後から照射する指標部照明用発光ダイオードとを備えた照明装置に於いて、表示板８は、太目盛指標部７ＡＡの周りに設けられた透過層と、この透過層の前面側に設けられ所定の点または線を基準として透過層を透過する指標部照明用発光ダイオードからの光量が漸次変化するようにグラデーションによる不透過性の透過光量調整層３０と、太目盛指標部７ＡＡを縁取る不透過性の縁取り層２８と、この縁取り層２８と透過光量調整層３０との間に設けた隙間部３１とを有する。【選択図】図３
2010107329.tif 000002
【特許請求の範囲】
【請求項１】
透過性の基板に設けられた透過性の指標部を有する表示板と、この表示板を背後から照射する光源とを備えた照明装置に於いて、前記表示板は、前記指標部の周りに設けられた透過層と、この透過層の前面側に設けられ所定の点または線を基準として前記透過層を透過する前記光源からの光量が漸次変化するようにグラデーションによる不透過性の透過光量調整層と、前記指標部を縁取る不透過性の縁取り層と、この縁取り層と前記透過光量調整層との間に設けた透過性の隙間部とを有することを特徴とする照明装置。
【請求項２】
透過性の基板に設けられた不透過性の指標部を有する表示板と、この表示板を背後から照射する光源とを備えた照明装置に於いて、前記表示板は、前記指標部の周りに設けられた透過層と、この透過層の前面側に設けられ所定の点または線を基準として前記透過層を透過する前記光源からの光量が漸次変化するようにグラデーションによる不透過性の透過光量調整層と、前記指標部と前記透過光量調整層との間に設けた透過性の隙間部とを有することを特徴とする照明装置。
【発明の詳細な説明】
【技術分野】
【０００１】
本発明は、例えば車両用の計器に用いられ、光源からの照射光で表示板を透過照明する照明装置に関するものである。
【背景技術】
【０００２】
指標部が設けられた表示板の表面側に所謂グラデーションを形成して、立体感を持たせて見栄えを良好とするようにしたものとして、例えば下記特許文献１がある。特許文献１に記載されている計器は、透過照明可能な指標部４が施された表示板５と、この表示板５の背後に配置された光源８とを備えている。そして、指標部４の周囲には透過印刷層２０領域が設けられ、この透過印刷層２０の前面側に、透過する光量が漸次変化するようにグラデーションによる黒色の遮光印刷層からなる透過光量調整層２１が設けてある。また、指標部４の輪郭部分には透過光量調整層２１と同じ黒色の遮光印刷層からなる縁取り部２１Ａが設けてある。
【０００３】
この様に構成することによって、光源８が点灯した際には指標部４は透過照明によって明るく照らし出されると共に、指標部４周囲の透過印刷層２０領域は明るさが漸次変化するようになっているため、表示板５全体が立体的に見え、見栄えが良好となるというものである。また、指標部４の輪郭部分に縁取り部２１Ａを設けることによって、指標部４の境目が明確となり、見やすい計器を提供できるというものである。
【特許文献１】特開２００３−２５４７９０号公報
【発明の開示】
【発明が解決しようとする課題】
【０００４】
しかしながら、前記特許文献１に記載された計器の指標部４は、縁取り部２１Ａが設けてあるため輪郭が明確となって読みやすいが、縁取り部２１Ａが指標部４の周囲で一定とならないため、グラデーション領域が明確ではなく、見栄えが劣ってしまうという問題がある。即ち、透過光量の少ない箇所では黒色の透過光量調整層２１の印刷範囲（面積）が広くて黒色の縁取り部２１Ａと繋がってしまう。
【０００５】
また、前記特許文献１には記載されていないが、不透過性の指標部の周囲に、透過する光量が漸次変化するようにグラデーションによる黒色の遮光印刷層からなる透過光量調整層を設ける場合、透過光量の少ない箇所では黒色の透過光量調整層の印刷範囲（面積）が広くて黒色の指標部と繋がってしまい、グラデーション領域が明確ではなく見栄えが劣ってしまうと共に、指標部の輪郭が明確ではなく読みにくいという問題がある。
【０００６】
本発明はこの様な点に鑑みなされたもので、指標部の周りにグラデーションを形成する際に、グラデーション領域が明確に視認されるようにした照明装置を提供することを目的とする。
【課題を解決するための手段】
【０００７】
本発明は前記目的を達成するため、透過性の基板に設けられた透過性の指標部を有する表示板と、この表示板を背後から照射する光源とを備えた照明装置に於いて、前記表示板は、前記指標部の周りに設けられた透過層と、この透過層の前面側に設けられ所定の点または線を基準として前記透過層を透過する前記光源からの光量が漸次変化するようにグラデーションによる不透過性の透過光量調整層と、前記指標部を縁取る不透過性の縁取り層と、この縁取り層と前記透過光量調整層との間に設けた透過性の隙間部とを有するものである。
【０００８】
また、透過性の基板に設けられた不透過性の指標部を有する表示板と、この表示板を背後から照射する光源とを備えた照明装置に於いて、前記表示板は、前記指標部の周りに設けられた透過層と、この透過層の前面側に設けられ所定の点または線を基準として前記透過層を透過する前記光源からの光量が漸次変化するようにグラデーションによる不透過性の透過光量調整層と、前記指標部と前記透過光量調整層との間に設けた透過性の隙間部とを有するものである。
【発明の効果】
【０００９】
指標部の周りにグラデーションを形成する際に、グラデーション領域が明確に視認されるようにした照明装置を得ることができる。
【発明を実施するための最良の形態】
【００１０】
本発明の照明装置を適用した車両用の計器を実施形態として説明する。図１〜図５に本発明の実施形態を示す。図１は計器の部分断面図であり、図２は計器に用いられる表示板の部分正面図である。図３は表示板の要部を示す正面図であり、図４，５は表示板の要部を示す断面図（図３に於けるＡ−Ａ断面，Ｂ−Ｂ断面）である。
【００１１】
計器は、例えば速度計１を有し、硬質な回路基板２と、この回路基板２の裏面側に回路基板２と導通状態で装着され、回路基板２を貫通して前方に延びる回動軸３を有する計器本体４と、回動軸３の先端側に固着された指示部５を有する指針６と、指示部５の後方に配置され指示部５の指示対象となる車両の速度を現す指標部７が設けられた表示板８と、この表示板８と回路基板２との間に配置され表示板８が保持されるケース部材９と、回路基板２上に実装され指標部７を照明する光源としての指標部照明用発光ダイオード１０と、指針６を照明する光源としての指針照明用発光ダイオード１１を備えている。
【００１２】
また、表示板８の可視領域を定める開口部１２を有する例えば黒色の合成樹脂からなる見返し部材１３と、指針６や表示板８などの前方側を被う無色透明な合成樹脂からなる透視板１４と、回路基板２の裏面側を覆う合成樹脂製のカバー１５などを備えている。
【００１３】
指針６は、無色透明な合成樹脂からなる指示部５の他に、指針軸１６と、遮光性の合成樹脂からなる指針キャップ１７を備えている。この指針６は指針軸１６を計器本体４の回動軸３の先端側に圧入することによって計器本体４に固着される。指示部５の裏面には例えば白色の箔（図示せず）がホットスタンプされており、昼間など周囲が明るい時は指示部５が白色で視認される。また、夜間など周囲が暗い時に例えば赤色で発光する指針照明用発光ダイオード１１が点灯した際は、指示部５に導かれた光が白色の箔に反射して指示部５が赤色で視認されるようになっている。
【００１４】
ケース部材９は、遮光性のある例えば白色の合成樹脂からなり、回動軸３の周囲に配置された指針照明用発光ダイオード１１を囲むように配置された筒部１８と、この筒部１８の周囲に一体的に設けられ、指標部照明用発光ダイオード１０からの光を周囲に反射させる第1の反射壁１９と、指標部照明用発光ダイオード１０を取り巻くように傾斜して形成された第２の反射壁２０と、表示板８が支持される前面部２１などを有している。
【００１５】
表示板８は、指針６の指針軸１６が挿通される貫通穴２２を有する無色透明な基板２３に車両の速度を現す目盛指標部７Ａ，数字指標部７Ｂ，文字指標部７Ｃからなる指標部７が設けられたものであり、矩形の目盛指標部７Ａは更に透過性の太目盛指標部７ＡＡと不透過性の細目盛指標部７ＡＢとに分けられる。また、目盛指標部７Ａの周り（各目盛指標部７Ａの間）はグラデーション領域ＧＲとなり、ここにグラデーションが形成されている。このグラデーション領域ＧＲと指標部７を除いた領域は地部２４となるもので、不透過性である例えば黒色の地色層２５が印刷してある。なお、詳細は図示しないが、数字指標部７Ｂおよび文字指標部７Ｃは透過性であり、基板２３の表面側箇所に例えば白色の透過性表示層が印刷してある。
【００１６】
目盛指標部７Ａは、指針６の指示部５先端側に対応するように円弧状に設けられている。この目盛指標部７Ａの詳細について、図３および図４に基づいて説明する。太目盛指標部７ＡＡに対応した基板２３の表面側に太目盛指標部７ＡＡとなる例えば白色の透過性表示層２６を印刷する。この透過性表示層２６は、数字指標部７Ｂおよび文字指標部７Ｃを形成する際の透過性表示層と同一工程で印刷すれば良い。また、細目盛指標部７ＡＢに対応した箇所には例えば黒色の不透過性表示層２７を印刷する。また、太目盛指標部７ＡＡを縁取る不透過性である黒色の縁取り層２８を印刷する。この不透過性表示層２７と縁取り層２８は同一工程で印刷すれば良い。
【００１７】
次に、グラデーションの詳細について説明する。グラデーション領域ＧＲに対応した基板２３の表面側に例えば灰色の透過層２９を印刷する。本実施形態に於いては、各太目盛指標部７ＡＡの間に灰色の透過層２９が印刷してある。従って、細目盛指標部７ＡＢとなる黒色の不透過性表示層２７は灰色の透過層２９の前面側に印刷されている。そして、透過層２９の前面側に貫通穴２２の中心を基準として、指標部照明用発光ダイオード１０が点灯した際に透過層２９を透過する光量が漸次減少（変化）するようにグラデーションによる不透過性の透過光量調整層３０が印刷してある。この透過光量調整層３０は例えば黒色であり、前述した地色層２５，不透過性表示層２７，縁取り層２８と同一工程で設ければ良い。
【００１８】
本実施形態に於ける透過光量調整層３０について説明する。透過光量調整層３０は透過層２９の前面側にドットを形成したものである。ドットは各グラデーション領域ＧＲ内の遮光率を徐々に高めるように内側（表示板８の貫通穴２２側）から外側（見返し部材１３の開口部１２側）にかけて、例えば丸い点を０．６mm間隔で形成し、その径を徐々に大きくしていったものである。即ち、黒色の遮光部分（透過光量調整層３０）が内側から外側にかけて徐々に増すようになっている。従って、ドットの径が小さい領域では隣り合う遮光部分（ドット）は離れているが、ドットの径が大きい領域では遮光部分（ドット）は繋がっている。
【００１９】
なお、透過光量調整層３０を設ける際に、太目盛指標部７ＡＡを縁取る縁取り層２８との間および細目盛指標部７ＡＢとの間に隙間部３１が形成されるようにしてある。従って、ドットの径が小さい領域では縁取り層２８および細目盛指標部７ＡＢと透過光量調整層３０との間に灰色の透過層２９が視認される隙間部３１が形成される。また、ドットの径が大きい領域でも縁取り層２８および細目盛指標部７ＡＢと透過光量調整層３０との間に灰色の透過層２９が視認される隙間部３１が形成されるが、この領域での隙間部３１は線状となる。但し、灰色の隙間部３１と透過光量調整層３０が印刷されない灰色箇所とが重なる場合もある。
【００２０】
また、指標部７，地部２４，グラデーション領域ＧＲを被って無色透明な保護層３２が設けてある。この保護層３２は外光による表示板８面の反射を抑えたり、印刷面にキズなどが付きにくいように保護するものである。なお、図２に於いては、グラデーション，黒色の縁取り層２８，隙間部３１の記載を省略すると共に、細目盛指標部７ＡＢを除いた指標部７を黒色で、細目盛指標部７ＡＢおよび地部２４を無色で示す。また、図３に於いて、クロス線を施した領域が黒色の地色層２５が印刷された地部２４である。
【００２１】
この様に構成された計器の表示板８は、白色の太目盛指標部７ＡＡ，数字指標部７Ｂ，文字指標部７Ｃと、黒色の細目盛指標部７ＡＢと、灰色から黒色に漸次変化するグラデーション領域ＧＲが視認される。その際、太目盛指標部７ＡＡは黒色の地部２４と黒色の縁取り層２８とによって囲まれているために太目盛指標部７ＡＡの輪郭が明確となり、見やすいものとなる。また、縁取り層２８或いは黒色の細目盛指標部７ＡＢとグラデーションを形成する黒色の透過光量調整層３０との間に隙間部３１を設けることで、グラデーション領域ＧＲが明確となり、見栄えの低下が抑えられると共に、細目盛指標部７ＡＢの輪郭が明確となって見やすいものとなる。
【００２２】
また、例えば赤色で発光する指標部照明用発光ダイオード１０が点灯すると、指標部照明用発光ダイオード１０からの光はケース部材９の第１の反射壁１９に反射して第２の反射壁２０側に向かい、第２の反射壁２０で反射して表示板８の裏面を照射する。或いは表示板８の裏面を直射する光もある。この照射光によって太目盛指標部７ＡＡ，数字指標部７Ｂ，文字指標部７Ｃが赤色で透過照明されるようになる。
【００２３】
また、グラデーション領域ＧＲは灰色の透過層２９を透過した暗みがかった赤色で視認される。この際、透過層２９上に黒色の透過光量調整層３０が印刷によって設けてあるために、グラデーション領域ＧＲ内が内側から外側にかけて暗みがかった赤色から黒色に漸次変化するグラデーションとして視認される。また、黒色の細目盛指標部７ＡＢは、細目盛指標部７ＡＢの長手方向に沿った両側が暗みがかった赤色で透過されることで、シルエットとして視認される。
【００２４】
この様に、指標部照明用発光ダイオード１０が点灯した際であっても、太目盛指標部７ＡＡは黒色の地部２４と黒色の縁取り層２８とによって囲まれているために赤色で透過照明される太目盛指標部７ＡＡの輪郭が明確となり、見やすいものとなる。また、縁取り層２８或いは黒色の細目盛指標部７ＡＢとグラデーションを形成する黒色の透過光量調整層３０との間に暗みがかった赤色で透過照明される隙間部３１を設けることで、グラデーション領域ＧＲが明確となり、見栄えの低下が抑えられると共に、細目盛指標部７ＡＢの輪郭が明確となって見やすいものとなる。
【００２５】
なお、本実施形態に於いては、グラデーションを目盛指標部７Ａの長手方向に沿った両側のみに形成するようにしたが、目盛指標部７Ａの全周を全て囲むように形成しても良い。また、目盛指標部７Ａの周りにグラデーションを形成したが、数字指標部７Ｂ或いは文字指標部７Ｃの周りであっても良い。
【００２６】
また、透過光量調整層３０を丸い点とし、グラデーション領域ＧＲ内に於いて、表示板８の貫通穴２２側（内側）から見返し部材１３の開口部１２側（外側）にかけて径を徐々に大きくしたものとしたが、外側から内側にかけて径を徐々に大きくしたものでも良く、形状も丸に限定するものではない。要は、所定の点または線を基準として透過層２９を透過する指標部照明用発光ダイオード１０からの光量が漸次変化するようになっていれば良い。
【図面の簡単な説明】
【００２７】
【図１】本発明の照明装置を適用した計器の部分断面図。
【図２】同計器に用いられる表示板の部分正面図。
【図３】同表示板の要部を示す正面図。
【図４】同表示板の要部を示す断面図（図３に於けるＡ−Ａ断面）。
【図５】同表示板の要部を示す断面図（図３に於けるＢ−Ｂ断面）。
【符号の説明】
【００２８】
７  指標部
７Ａ  目盛指標部
７ＡＡ  太目盛指標部
７ＡＢ  細目盛指標部
８  表示板
１０  指標部照明用発光ダイオード（光源）
２３  基板
ＧＲ  グラデーション領域
２８  縁取り層
２９  透過層
３０  透過光量調整層
３１  隙間部
【図１】
2010107329.tif 000003
【図２】
2010107329.tif 000004
【図３】
2010107329.tif 000005
【図４】
2010107329.tif 000006
【図５】
2010107329.tif 000007